(57)【要約】【課題】  ファインダー内に撮影情報を表示する表示装置において、カメラがサイズアップやコストアップすることなく、また煩わしい操作を行うことなく、多くの撮影情報を撮影者に分かり易く表示する。【解決手段】  カメラの電源がＯＮされると（Ｓ１０１）、撮影者がファインダーを覗いているか接眼検知を行い（Ｓ１０２）、覗いていればファインダー内表示用ＬＣＤ１９に第１の撮影情報表示を行う（Ｓ１０４）。この状態でレリーズボタン６０が半押しされてＳＷ１がＯＮするか検知を行い（Ｓ１０５）、ＯＮすれば第１の撮影情報表示を消灯し（Ｓ１０６）、第２の撮影情報表示を行う（Ｓ１０７）。【選択図】  図９
2007163774.tif 000002
【特許請求の範囲】
【請求項１】
ファインダー内に撮影情報を表示する表示手段と、撮影者がファインダーを覗いているか否かを検知する接眼検知手段と、制御用のスイッチ手段とを備えたカメラのファインダー内表示装置において、前記接眼検知手段によりファインダーが覗かれたことが検知されると、前記表示手段により第１の撮影情報表示を行い、第１の撮影情報表示状態において前記スイッチ手段が操作されると、第２の撮影情報表示に変更されることを特徴とするカメラのファインダー内表示方法。
【請求項２】
請求項１記載のカメラにおいて、前記第２の撮影情報表示は前記第１の撮影情報表示の１部が変更されていることを特徴とするカメラのファインダー内表示方法。
【請求項３】
請求項２記載のカメラにおいて、前記第１の撮影情報表示から前記第２の撮影情報表示で変更された撮影情報は、前記表示手段の１桁が７個のセグメントからなる複数桁の数字表示部に表示が行われることを特徴とするカメラのファインダー内表示方法。
【請求項４】
請求項１〜３記載のカメラにおいて、前記第１の撮影情報表示ではＩＳＯ感度を表示し、前記第２の撮影情報表示ではシャッタースピードの表示に変更されることを特徴とするカメラのファインダー内表示方法。
【請求項５】
請求項１〜３記載のカメラにおいて、前記第１の撮影情報表示ではＩＳＯ感度を表示し、前記第２の撮影情報表示では撮影枚数の表示に変更されることを特徴とするカメラのファインダー内表示方法。
【請求項６】
請求項１〜３記載のカメラにおいて、前記第１の撮影情報表示では撮影枚数を表示し、前記第２の撮影情報表示ではＩＳＯ感度の表示に変更されることを特徴とするカメラのファインダー内表示方法。
【請求項７】
請求項５〜６記載のカメラにおいて、前記撮影枚数の表示は、記録手段に記録保存可能な枚数、記録手段に記録保存している枚数、一時記憶手段に記憶可能な枚数、のいずれかの表示であることを特徴とするカメラのファインダー内表示方法。
【請求項８】
請求項１〜３記載のカメラにおいて、前記第１の撮影情報表示では記録手段に記録保存している枚数、または記録保存可能な枚数を表示し、前記第２の撮影情報表示では一時記憶手段に記憶可能な枚数の表示に変更されることを特徴とするカメラのファインダー内表示方法。
【請求項９】
請求項１〜８記載のカメラにおいて、前記スイッチ手段は、半押し操作によるオンと全押し操作によるオンの２段スイッチからなるレリーズボタンであり、前記第１の撮影情報表示状態において前記半押し操作によるオンにより、第２の撮影情報表示に切り換えられることを特徴とするカメラのファインダー内表示方法。
【発明の詳細な説明】
【技術分野】
【０００１】
本発明はファインダー内に撮影情報を表示をするための表示手段を有するカメラにおいて、撮影情報の表示方法に関するものである。
【背景技術】
【０００２】
近年、撮影光学系によって結像された被写体像をＣＣＤやＣＭＯＳ等の撮像素子を利用して電気信号に光電変換し、これにより得られた撮像信号を記録媒体等に記録するように構成されたデジタルカメラが広く普及している。
【０００３】
デジタルカメラが銀塩カメラに対して優位な点の一つにＩＳＯ感度を自由に変更できるといった点がある。銀塩カメラの場合はＩＳＯ感度はフィルムに依存しており、ＩＳＯ感度を変更したければフィルムを交換する必要があるため、１枚撮影する毎にＩＳＯ感度を変更することは実際問題として手間がかかりすぎるため行われることはほとんどなかった。そのため被写体を適正露出で撮影するためにはシャッタースピードと絞り値の組み合わせを変えていた。
【０００４】
しかしデジタルカメラの場合は、撮像素子や画像処理回路のゲインの設定を変更することでＩＳＯ感度が変更可能となっているため、１枚撮影する毎にＩＳＯ感度を変更しながら撮影することが可能となっている。従って被写体を適正露出で撮影するためにはシャッタースピードと絞り値の組み合わせを変えるだけでなく、シャッタースピードと絞り値は一定でＩＳＯ感度を変えることも可能で、撮影表現の選択肢が増えている。そのため撮影者が設定されているＩＳＯ感度を簡単に把握できることが重要である。
【０００５】
ここで従来のカメラはシャッタースピードや絞り値、その他の撮影情報を撮影者が設定、把握できるように、各種の撮影情報を表示するための表示装置を搭載している。撮影者が撮影情報を把握し易くするためには、表示装置はより多くの撮影情報を表示できた方が良いが、表示装置に液晶表示器等を用いる場合、表示するためのセグメントを増す必要があるため表示装置のサイズが大きくなり、その駆動回路の規模も大きくなる等、カメラのサイズアップやコストアップを招いてしまう。
【０００６】
そこで表示装置にＩＳＯ感度を効率良く表示するための方法として、フィルムカウント値の表示部に、カメラの電源がオンの時はフィルムカウント値を表示し、オフの時はＩＳＯ感度を表示する方法（特許文献１参照）が開示されている。
【０００７】
更に表示装置はひと目でより多くの撮影情報を設定、把握可能なようにカメラの外部に設けられた大型の外部表示装置と、実際にファインダーを覗いて撮影する際に必要最小限の撮影情報が把握可能なようにファインダー内に設けられた小型のファインダー内表示装置の２つを搭載していることが多い。このため両方の表示装置に撮影情報を表示すると消費電力が増えてしまう。このファインダー内表示装置の消費電力を抑えるために、カメラの電源がオンしている時に常に表示するのではなく撮影を行おうとしている時だけ表示するように、接眼検知手段によりファインダーを覗いていることを検知し、且つレリーズボタンに触れて撮影準備動作がなされたことを受けて表示する方法（特許文献２参照）が開示されている。
【特許文献１】特開平９−１４６１５９号公報（第２頁、図９）
【特許文献２】特開平２−１７９０７６号公報（第２頁、図１）
【発明の開示】
【発明が解決しようとする課題】
【０００８】
しかしながら前記特開平９−１４６１５９号公報の表示方法の場合、カメラの電源がオフの時にＩＳＯ感度を表示しているため、電力消費を抑えることができない。またフィルムカウント値の表示部にＩＳＯ感度表示を行うため、フィルムカウント値を表示するのに不必要なセグメントを追加しているため、無駄なコストがかかっているといった問題がある。
【０００９】
また前記特開平２−１７９０７６号公報の表示方法の場合、接眼検知に応じてファインダー内表示装置の表示、非表示を切り換えているだけなので、表示すべき必要最小限の撮影情報を表示するセグメントに加えてＩＳＯ感度を表示するためのセグメントが必要となり、表示装置のサイズが大きくなり、その駆動回路の規模も大きくなる等、カメラのサイズアップやコストアップを招くといった問題がある。
【００１０】
そこで本発明の目的は、ファインダー内に撮影情報を表示する表示装置において、カメラがサイズアップやコストアップすることなく、また煩わしい操作を行うことなく多くの撮影情報を撮影者に分かり易く表示可能なカメラのファインダー内表示方法を提供することである。
【課題を解決するための手段】
【００１１】
上記の目的を達成するために、請求項１の発明は、ファインダー内に撮影情報を表示する表示手段と、撮影者がファインダーを覗いているか否かを検知する接眼検知手段と、制御用のスイッチ手段とを備えたカメラのファインダー内表示装置において、前記接眼検知手段によりファインダーが覗かれたことが検知されると、前記表示手段により第１の撮影情報表示を行い、第１の撮影情報表示状態において前記スイッチ手段が操作されると、第２の撮影情報表示に変更されることを特徴とする。
【００１２】
請求項２の発明は、請求項１記載のカメラにおいて、前記第２の撮影情報表示は前記第１の撮影情報表示の１部が変更されていることを特徴とする。
【００１３】
請求項３の発明は、請求項１、２記載のカメラにおいて、前記第１の撮影情報表示から前記第２の撮影情報表示で変更された撮影情報は、前記表示手段の１桁が７個のセグメントからなる複数桁の数字表示部に表示が行われることを特徴とする。
【００１４】
請求項４の発明は、請求項１〜３記載のカメラにおいて、前記第１の撮影情報表示ではＩＳＯ感度を表示し、前記第２の撮影情報表示ではシャッタースピードの表示に変更されることを特徴とする。
【００１５】
請求項５の発明は、請求項１〜３記載のカメラにおいて、前記第１の撮影情報表示ではＩＳＯ感度を表示し、前記第２の撮影情報表示では撮影枚数の表示に変更されることを特徴とする。
【００１６】
請求項６の発明は、請求項１〜３記載のカメラにおいて、前記第１の撮影情報表示では撮影枚数を表示し、前記第２の撮影情報表示ではＩＳＯ感度の表示に変更されることを特徴とする。
【００１７】
請求項７の発明は、請求項５〜６記載のカメラにおいて、前記撮影枚数の表示は、記録手段に記録保存可能な枚数、記録手段に記録保存している枚数、一時記憶手段に記憶可能な枚数、のいずれかの表示であることを特徴とする。
【００１８】
請求項８の発明は、請求項１〜３記載のカメラにおいて、前記第１の撮影情報表示では記録手段に記録保存している枚数、または記録保存可能な枚数を表示し、前記第２の撮影情報表示では一時記憶手段に記憶可能な枚数の表示に変更されることを特徴とする。
【００１９】
請求項９の発明は、請求項１〜８記載のカメラにおいて、前記スイッチ手段は、半押し操作によるオンと全押し操作によるオンの２段スイッチからなるレリーズボタンであり、前記第１の撮影情報表示状態において前記半押し操作によるオンにより、第２の撮影情報表示に切り換えられることを特徴とする。
【発明の効果】
【００２０】
請求項１の発明によれば、接眼検知手段によりファインダーが覗かれたことが検知されると、表示手段により第１の撮影情報表示を行い、第１の撮影情報表示状態においてスイッチ手段が操作されると、第２の撮影情報表示に変更されることにより、煩わしい操作を行うことなく多くの撮影情報を撮影者に分かり易く表示可能なカメラのファインダー内表示方法が実現できる。
【００２１】
請求項２の発明によれば、前記第２の撮影情報表示は前記第１の撮影情報表示の一部が変更されることにより、請求項１記載のカメラのファインダー内表示方法が実現できる。
【００２２】
請求項３の発明によれば、前記第１の撮影情報表示から前記第２の撮影情報表示で変更された撮影情報は、前記表示手段の１桁が７個のセグメントからなる複数桁の数字表示部に表示が行われることにより、様々な数字情報が表示可能となるため前記表示手段を大きくする必要がなく、その結果、カメラがサイズアップやコストアップすることなく多くの撮影情報を撮影者に分かり易く表示可能な請求項１、２記載のカメラのファインダー内表示方法が実現できる。
【００２３】
請求項４の発明によれば、前記第１の撮影情報表示ではＩＳＯ感度を表示し、前記第２の撮影情報表示ではシャッタースピードの表示に変更されることにより、請求項１〜３記載のカメラのファインダー内表示方法が実現できる。
【００２４】
請求項５の発明によれば、前記第１の撮影情報表示ではＩＳＯ感度を表示し、前記第２の撮影情報表示では撮影枚数の表示に変更されることにより、請求項１〜３記載のカメラのファインダー内表示方法が実現できる。
【００２５】
請求項６の発明によれば、前記第１の撮影情報表示では撮影枚数を表示し、前記第２の撮影情報表示ではＩＳＯ感度の表示に変更されることにより、請求項１〜３記載のカメラのファインダー内表示方法が実現できる。
【００２６】
請求項７の発明によれば、前記撮影枚数の表示は、記録手段に記録保存可能な枚数、記録手段に記録保存している枚数、一時記憶手段に記憶可能な枚数、のいずれかの表示であることにより、請求項５〜６記載のカメラのファインダー内表示方法が実現できる。
【００２７】
請求項８の発明によれば、前記第１の撮影情報表示では記録手段に記録保存している枚数、または記録保存可能な枚数を表示し、前記第２の撮影情報表示では撮影した画像データを一時記憶手段に記憶可能な枚数の表示に変更されることにより、請求項１〜３記載のカメラのファインダー内表示方法が実現できる。
【００２８】
請求項９の発明によれば、前記スイッチ手段は、半押し操作によるオンと全押し操作によるオンの２段スイッチからなるレリーズボタンであり、前記第１の撮影情報表示状態において前記半押し操作によるオンにより、第２の撮影情報表示に切り換えられることにより、請求項１〜８記載のカメラのファインダー内表示方法が実現できる。
【発明を実施するための最良の形態】
【００２９】
（実施例１）
以下、本発明の第１の実施例を図面を参照しながら説明する。図１は第１の実施例に係るデジタル一眼レフカメラの概略断面図である。
【００３０】
１はカメラ本体、２は後述の撮影レンズ３をカメラ本体１に着脱可能とするためのマウントであり、各種信号を通信したり、駆動電源を供給するためのインターフェイス部を有する。３は交換可能な撮影レンズであり、内部にフォーカスレンズ群やズームレンズ群を有している。図１では各レンズ群を便宜上１枚のレンズで図示したが、実際には多数のレンズにより複雑なレンズ群の組み合わせで構成されている。
【００３１】
４はハーフミラーで構成された主ミラーであり、カメラの動作状態に応じて回動可能となっており、被写体をファインダーで観察する時は撮影光路へ斜設され、撮影レンズ３からの光束を折り曲げて後述のファインダー光学系へ導き、撮影する時は撮影光路から退避して、撮影レンズ３からの光束を後述の撮像素子７へ導いている。５は主ミラー４とともに回動するサブミラーであり、ハーフミラーで構成されており、主ミラー４が撮影光路へ斜設されている時に主ミラー４を透過した光束を折り曲げて後述の焦点検出装置８へ導く光束と、透過して後述の撮像素子７へ導く光束に分割している。
【００３２】
６はシャッター、７はＣＣＤやＣＭＯＳ等の撮像素子である。８はＡＦセンサであり、２次結像レンズや複数のＣＣＤからなるエリアセンサ等から構成されており、周知の位相差方式で焦点検出可能となっている。
【００３３】
９は撮影レンズ３の一次結像面に配置されたピント板であり、入射面にはフレネルレンズ（集光レンズ）が設けられ、射出面には被写体像（ファインダー像）が結像している。１０はファインダー視野領域を形成するファインダー視野枠、１１はファインダー光路変更用のペンタプリズムであり、ピント板９の射出面に結像した被写体像を正立正像に補正する。１２、１３は接眼レンズである。ここで、ピント板９、ペンタプリズム１１、接眼レンズ１２、１３により構成されている光学系をファインダー光学系と称する。
【００３４】
１４はファインダーを観察する撮影者の瞳である。１５は接眼検知手段の照明光源である赤外ＬＥＤ、１６は光電素子列を二次元的に配したＣＣＤ等からなる接眼検知手段の受光センサである。赤外ＬＥＤ１５から投光された赤外光が瞳１４で反射すると受光センサ１６に入射するように配置されている。これらにより撮影者がファインダーを観察しているか否かを検知する。ここで、この機能のことを接眼検知と称する。
【００３５】
１７はＡＥセンサであり、多分割された撮影画面内の各領域に対応したフォトダイオードから構成されており、ピント板９の射出面に結像した被写体像の輝度を測定する。
【００３６】
１８はＬＣＤ照明用のＬＥＤ、１９はファインダー内表示用のＬＣＤであり、ファインダー内の視野外に撮影情報を表示するために複数のセグメントによりパターン化し、選択されたセグメント領域のみ光束を透過可能とする電解効果型のツイステッドネマティックモード（Twisted Nematic Mode）を利用したＴＮ液晶表示器からなる。２０は三角プリズムである。ＬＥＤ１８により照明されＬＣＤ１９を透過した光束は、三角プリズム２０によりファインダー視野外に導かれる。これにより撮影者はファインダーを観察した際に各種の撮影情報を目視することができる。
【００３７】
２１は撮影した画像や各種の撮影情報を表示する液晶モニタである。
【００３８】
図２は図１の構成のデジタル一眼レフカメラに内蔵された電気的構成を示すブロック図であり、図１と同一のものには同一番号を付けている。
【００３９】
５０はカメラ部の制御とカメラ全体の制御を行うマイクロコンピュータ（中央処理装置；以下、ＭＰＵと記す）、５１は画像データの各種制御を行うメモリコントローラ、５２は各種制御を行うための設定、調整データ等を格納しているＥＥＰＲＯＭである。
【００４０】
５３は撮影レンズ３内にあるレンズ制御回路であり、マウント２を介してＭＰＵ５０と接続されており、後述の各情報に基づいてフォーカスレンズの焦点調節（合焦駆動）や絞り駆動を行う。
【００４１】
５４は焦点検出回路であり、ＡＦセンサ８のエリアセンサの蓄積制御と読み出し制御とを行って、各測距点の画素情報をＭＰＵ５０に出力する。ＭＰＵ５０は各測距点の画素情報を周知の位相差検出法による焦点検出を行い、検出した焦点検出情報を前述のレンズ制御回路５３へ送出してフォーカスレンズの焦点調節を行わせる。この焦点検出から焦点調節までの一連の動作をオートフォーカス（以下、ＡＦと記す）動作と称する。
【００４２】
５５は測光回路であり、ＡＥセンサ１７の各領域からの輝度信号をＭＰＵ５０に出力する。ＭＰＵ５０は、輝度信号をＡ／Ｄ変換して被写体の測光情報とし、この測光情報を用いて撮影露出の調整を行う。
【００４３】
５６はモータ駆動回路であり、主ミラー４を駆動するモータやシャッター６のチャージを行うモータを制御する。
【００４４】
５７はシャッター駆動回路であり、シャッター６の先幕を走行させるマグネットと後幕を走行させるマグネットを、撮像素子７に所定光量を露光するように制御する。
【００４５】
５８は表示駆動回路であり、表示内容に応じたＬＣＤ１９への通電制御とＬＥＤ１８の点灯、点滅制御を行い、ファインダー内にシャッタースピード、絞り値、ＩＳＯ感度、撮影可能枚数等の撮影情報を表示する。
【００４６】
５９は接眼検知回路であり、赤外ＬＥＤ１５の点灯制御と受光センサ１６の受光信号処理を行い、接眼検知情報をＭＰＵ５０に出力する。
【００４７】
６０はレリーズボタンであり、第１ストローク（半押し）操作でＯＮし、測光（ＡＥ）、ＡＦ動作を開始させるためのスイッチであるＳＷ１と、レリーズボタンの第２ストローク（全押し）操作でＯＮし、露光動作を開始させるためのスイッチであるＳＷ２の信号をＭＰＵ５０へ出力する。
【００４８】
６１は電子ダイヤルであり、ダイヤルの回転クリックに応じたＯＮ信号がＭＰＵ５０内の不図示のアップダウンカウンタに出力され、その数がカウントされる。このカウントに応じて各種の数値やデータ等の選択が行われる。
【００４９】
６２はＳＥＴボタンであり、電子ダイヤル６１で選択した数値やデータ等を決定する際に操作する。
【００５０】
６３はＩＳＯ感度ボタンであり、操作すると撮像素子７或いは後述の画像処理回路７４におけるゲインの設定を変更可能な状態となる。この状態の時に電子ダイヤル６１を操作すると、そのカウントに応じてゲインが変更され、更にＳＥＴボタン６２を操作して変更されたゲインに決定されることによりＩＳＯ感度が変更できる。
【００５１】
６４は記録画質ボタンであり、操作すると撮影された画像データをメディア７８に記録する際のフォーマットと画質を変更可能な状態となる。この状態の時に電子ダイヤル６１を操作すると、そのカウントに応じてフォーマットと画質が変更され、更にＳＥＴボタン６２を操作して変更されたフォーマットと画質に決定されることにより記録画質が変更できる。
【００５２】
６５は電源ボタンであり、操作するとカメラの電源がＯＮ／ＯＦＦされる。
【００５３】
６６は電源６７の電圧を各回路に必要な電圧に変換するＤＣ/ＤＣコンバータである。
【００５４】
７０は撮像素子７から出力される画像信号をサンプルホールド及び自動ゲイン調整するＣＤＳ（相関２重サンプリング）／ＡＧＣ（自動ゲイン調整）回路、７１はＣＤＳ／ＡＧＣ回路７０のアナログ出力をデジタル信号に変換するＡ／Ｄ変換器、７２はＴＧ（タイミング発生）回路であり、撮像素子７に駆動信号を、ＣＤＳ／ＡＧＣ回路７０にサンプルホールド信号を、Ａ／Ｄ変換器７１にサンプルクロック信号を供給する。ここで、メモリコントローラ５１が撮像素子７から出力される画像信号をＣＤＳ／ＡＧＣ回路７０、Ａ／Ｄ変換器７１を経て受けて、コントラスト検出方式により被写体像の焦点検出を行うことが可能である。
【００５５】
７３はＡ／Ｄ変換器７１でデジタル変換された画像等を一時的に記録するためのＳＤＲＡＭ、７４は画像をＹ／Ｃ（輝度信号／色差信号）分離、ホワイトバランス補正、γ補正等を行う画像処理回路、７５は画像をＪＰＥＧ等の形式に従って圧縮したり、圧縮された画像の伸張を行う画像圧縮／伸張回路である。
【００５６】
７６はＳＤＲＡＭ７３やメディア７８に記録された画像を液晶モニタ２１に表示するために、画像をアナログ信号に変換するＤ／Ａ変換器である。７７は画像を記録保存するためのメディア７８とのＩ／Ｆ（インターフェイス）である。
【００５７】
図３はファインダー内表示用ＬＣＤ１９の全セグメント点灯状態図であり、図４は第１の撮影情報表示状態図、図５は第２の撮影情報表示状態図である。
【００５８】
８１は撮影モードのシャッタースピード優先モードを示すＴｖマーク、８２は撮影モードの絞り優先モードを示すＡｖマーク、８３は撮影モードのマニュアルモードを示すＭマーク、８４はＩＳＯ感度表示を示すＩＳＯ感度マーク、８５は状況に応じてシャッタースピードやＩＳＯ感度を表示する最大４桁の数字が表示可能な表示部、８６は絞り値表示部である。
【００５９】
８７はメディア７８を示すＣＦマーク、８８はＳＤＲＡＭ７３を示すＢｕｆｆ．マーク、８９は最大４桁の数字が表示可能な枚数表示部である。
【００６０】
図９はＬＣＤ１９の表示方法を示すフローチャートである。
【００６１】
以上の図を用いてカメラの動作について説明する。
【００６２】
Ｓ１０１では、撮影者が電源ボタン６５を操作して、カメラの電源がＯＮされる。
【００６３】
Ｓ１０２では、接眼検知回路５９により接眼検知を行い、検知されれば、即ち撮影者がファインダーを覗いていればＳ１０３へ進み、検知されなければ検知を続ける。
【００６４】
Ｓ１０３では、カメラに設定されている各種撮影情報をＥＥＰＲＯＭ５２から読み出す。また設定されている記録画質やカメラに装着されたメディア７８の空き容量等からメディア７８に記録保存可能な枚数（撮影可能枚数）の演算や、ＳＤＲＡＭ７３の空き容量等からＳＤＲＡＭ７３に記録保存可能な枚数（連続撮影可能枚数）の演算を行う。
【００６５】
Ｓ１０４では、表示駆動回路５８によりＬＣＤ１９にＩＳＯ感度と、撮影可能枚数を点灯し、ＬＥＤ１８を点灯してファインダー内表示を行う（第１の撮影情報表示）。この時の表示状態が図４である。表示部８５に数字（１００）を表示してＩＳＯ感度マーク８４を表示することにより、ＩＳＯ感度１００を示し、枚数表示部８９に数字（２８４）を表示してＣＦマーク８７を表示することにより、撮影可能枚数２８４枚を示している。
【００６６】
Ｓ１０５では、レリーズボタン６０を半押しして、ＳＷ１がＯＮされたか否かの判定を行い、ＯＮされればＳ１０６へ進み、ＯＮされなければＳ１１４へ進む。
【００６７】
Ｓ１０６では、表示駆動回路５８によりＬＣＤ１９に表示しているＩＳＯ感度と、撮影可能枚数を消灯する。
【００６８】
Ｓ１０７では、表示駆動回路５８によりＬＣＤ１９にシャッタースピードと、連続撮影可能枚数を点灯してファインダー内表示を行う（第２の撮影情報表示）。この時の表示状態が図５である。表示部８５に数字（８０００）を表示してＭマーク８３を表示することにより、撮影モードがマニュアルモード、設定しているシャッタースピードが１／８０００秒を示し、枚数表示部８９に数字（３５）を表示してＢｕｆｆ．マーク８８を表示することにより、連続撮影可能枚数３５枚を示している。また絞り値表示部８６は設定している絞り値がｆ２．８であることを示している。
【００６９】
更にフローチャートには割愛してあるが、ＳＷ１ＯＮを受けて所定のＡＥ、ＡＦ動作を行っている。
【００７０】
Ｓ１０８では、レリーズボタン６０を全押しして、ＳＷ２がＯＮされたか否かの判定を行い、ＯＮされればＳ１０９へ進み、ＯＮされなければＳ１１１へ進む。
【００７１】
Ｓ１０９では、ＡＥ、ＡＦの結果に従って所定の撮影動作を行う。
【００７２】
更にフローチャートには割愛してあるが、撮影した枚数に従って、ＬＣＤ１９に表示している連続撮影可能枚数を減算表示している。
【００７３】
Ｓ１１０では、レリーズボタン６０が半押しされ続けて、ＳＷ１がＯＮのままか否かの判定を行い、ＯＮのままであればＳ１０８へ戻り、引き続きＳＷ２の判定を行う。またＳＷ１がＯＮのままでなければ、即ちレリーズボタン６０の操作が中断されてＳＷ１がＯＦＦしていればＳ１１２へ進む。
【００７４】
Ｓ１１１では、レリーズボタン６０が全押しされないことを受けて、ＳＷ１がＯＮのままか否かの判定を行い、ＯＮのままであればＳ１０８へ戻り、引き続きＳＷ２の判定を行う。またＳＷ１がＯＮのままでなければ、即ちレリーズボタン６０の操作が中断されてＳＷ１がＯＦＦしていればＳ１１２へ進む。
【００７５】
Ｓ１１２では、ＳＷ１がＯＦＦしたことを受けて、表示駆動回路５８によりＬＣＤ１９に表示しているシャッタースピードと、連続撮影可能枚数を消灯する。
【００７６】
Ｓ１１３では、表示駆動回路５８によりＬＣＤ１９にＩＳＯ感度と、撮影可能枚数を点灯してファインダー内表示を行う。
【００７７】
Ｓ１１４では、ＳＷ１がＯＦＦしたことを受けて、接眼検知回路５９により接眼検知を行い、検知されればＳ１０５へ戻り、引き続きＳＷ１の判定を行う。また検知されなければ、即ち撮影者がファインダーを覗くのを中断していればＳ１１５へ進む。
【００７８】
Ｓ１１５では、表示駆動回路５８によりＬＣＤ１９に表示しているＩＳＯ感度と、撮影可能枚数を消灯し、ＬＥＤ１８を消灯してファインダー内表示を中断する。
【００７９】
Ｓ１１６では、カメラの電源がＯＮのままか否かの判定を行い、ＯＮのままであればＳ１０２へ戻り、引き続き接眼検知を行う。また電源がＯＮのままでなければ、即ち撮影者が電源ボタン６５を操作して電源をＯＦＦにしていれば、カメラの動作は終了する。
【００８０】
上述の本発明の第１の実施例においては、撮影者がファインダーを覗いたことを検知する検知手段は、撮影者の瞳を検出する接眼検知としたが、撮影者がファインダー内の一部を注視したことを検出する視線検出や、撮影者の顔がファインダーに近づいたことを検出するフェイス検知等でも構わない。また第１から第２で変更された撮影情報は２種類としたが、１種類や３種類以上でも構わない。更に第１の撮影情報では撮影可能枚数を表示したが、既にメディア７８に記録保存済み枚数でも構わない。
【００８１】
以上説明したように、本発明の第１の実施例によれば、接眼検知により撮影者がファインダーを覗いたことを検知すると、ファインダー内に第１の撮影情報を表示し、その状態のままレリーズボタンを半押し操作すると、ファインダー内に表示している第１の撮影情報が第２の撮影情報に変更されるため、煩わしい操作を行うことなく多くの撮影情報を撮影者に分かり易く表示可能である。
【００８２】
また第１の撮影情報から第２の撮影情報で変更される撮影情報を表示する表示部を、１桁が７個のセグメントからなる複数桁の数字表示部としたことにより、様々な数字情報が表示可能となるため表示装置を大きくする必要がなく、その結果、カメラがサイズアップやコストアップすることなく多くの撮影情報を撮影者に分かり易く表示可能である。
【００８３】
（実施例２）
以下、本発明の第２の実施例を図面を参照しながら説明する。デジタル一眼レフカメラの構成等は第１の実施例の図１、２と同一のため説明は割愛する。
【００８４】
図６はファインダー内表示用ＬＣＤ１９の全セグメント点灯状態図であり、図７は第１の撮影情報表示状態図、図８は第２の撮影情報表示状態図である。図３〜５と同一の機能のものには同一番号を付けている。
【００８５】
９０は最大４桁の数字が表示可能なシャッタースピード表示部、９１は状況に応じてＩＳＯ感度や撮影枚数を表示する最大４桁の数字が表示可能な表示部である。
【００８６】
図１０はＬＣＤ１９の表示方法を示すフローチャートである。
【００８７】
以上の図を用いてカメラの動作について説明する。
Ｓ２０１では、撮影者が電源ボタン６５を操作して、カメラの電源がＯＮされる。
【００８８】
Ｓ２０２では、接眼検知回路５９により接眼検知を行い、検知されれば、即ち撮影者がファインダーを覗いていればＳ２０３へ進み、検知されなければ検知を続ける。
【００８９】
Ｓ２０３では、カメラに設定されている各種撮影情報をＥＥＰＲＯＭ５２から読み出す。また設定されている記録画質やカメラに装着されたメディア７８の空き容量等からメディア７８に記録保存可能な枚数（撮影可能枚数）の演算や、ＳＤＲＡＭ７３の空き容量等からＳＤＲＡＭ７３に記録保存可能な枚数（連続撮影可能枚数）の演算を行う。
【００９０】
Ｓ２０４では、表示駆動回路５８によりＬＣＤ１９にＩＳＯ感度を点灯し、ＬＥＤ１８を点灯してファインダー内表示を行う（第１の撮影情報表示）。この時の表示状態が図７である。表示部９１に数字（４００）を表示してＩＳＯ感度マーク８４を表示することにより、ＩＳＯ感度４００を示している。
【００９１】
またＴｖマーク８１とシャッタースピード表示部９０に数字（１２５）、絞り値表示部８６に数字（５．６）を表示することにより、撮影モードがシャッタースピード優先モード、設定しているシャッタースピードが１／１２５秒、各設定値に応じた絞り値がｆ５．６であることを示している。
【００９２】
Ｓ２０５では、レリーズボタン６０を半押しして、ＳＷ１がＯＮされたか否かの判定を行い、ＯＮされればＳ２０６へ進み、ＯＮされなければＳ２１４へ進む。
【００９３】
Ｓ２０６では、表示駆動回路５８によりＬＣＤ１９に表示しているＩＳＯ感度を消灯する。
【００９４】
Ｓ２０７では、表示駆動回路５８によりＬＣＤ１９に撮影可能枚数を点灯してファインダー内表示を行う（第２の撮影情報表示）。この時の表示状態が図８である。表示部９１に数字（１３７９）を表示してＣＦマーク８７を表示することにより、撮影可能枚数１３７９枚を示している。
【００９５】
更にフローチャートには割愛してあるが、ＳＷ１ＯＮを受けて所定のＡＥ、ＡＦ動作を行っている。
【００９６】
Ｓ２０８では、レリーズボタン６０を全押しして、ＳＷ２がＯＮされたか否かの判定を行い、ＯＮされればＳ２０９へ進み、ＯＮされなければＳ２１１へ進む。
【００９７】
Ｓ２０９では、ＡＥ、ＡＦの結果に従って所定の撮影動作を行う。
【００９８】
更にフローチャートには割愛してあるが、撮影した枚数に従って、ＬＣＤ１９に表示している撮影可能枚数を減算表示している。
【００９９】
Ｓ２１０では、レリーズボタン６０が半押しされ続けて、ＳＷ１がＯＮのままか否かの判定を行い、ＯＮのままであればＳ２０８へ戻り、引き続きＳＷ２の判定を行う。またＳＷ１がＯＮのままでなければ、即ちレリーズボタン６０の操作が中断されてＳＷ１がＯＦＦしていればＳ２１２へ進む。
【０１００】
Ｓ２１１では、レリーズボタン６０が全押しされないことを受けて、ＳＷ１がＯＮのままか否かの判定を行い、ＯＮのままであればＳ２０８へ戻り、引き続きＳＷ２の判定を行う。またＳＷ１がＯＮのままでなければ、即ちレリーズボタン６０の操作が中断されてＳＷ１がＯＦＦしていればＳ２１２へ進む。
【０１０１】
Ｓ２１２では、ＳＷ１がＯＦＦしたことを受けて、表示駆動回路５８によりＬＣＤ１９に表示している撮影可能枚数を消灯する。
【０１０２】
Ｓ２１３では、表示駆動回路５８によりＬＣＤ１９にＩＳＯ感度を点灯してファインダー内表示を行う。
【０１０３】
Ｓ２１４では、ＳＷ１がＯＦＦしたことを受けて、接眼検知回路５９により接眼検知を行い、検知されればＳ２０５へ戻り、引き続きＳＷ１の判定を行う。また検知されなければ、即ち撮影者がファインダーを覗くのを中断していればＳ２１５へ進む。
【０１０４】
Ｓ２１５では、表示駆動回路５８によりＬＣＤ１９に表示しているＩＳＯ感度を消灯し、ＬＥＤ１８を消灯してファインダー内表示を中断する。
【０１０５】
Ｓ２１６では、カメラの電源がＯＮのままか否かの判定を行い、ＯＮのままであればＳ２０２へ戻り、引き続き接眼検知を行う。また電源がＯＮのままでなければ、即ち撮影者が電源ボタン６５を操作して電源をＯＦＦにしていれば、カメラの動作は終了する。
【０１０６】
上述の本発明の第２の実施例においては、撮影者がファインダーを覗いたことを検知する検知手段は、撮影者の瞳を検出する接眼検知としたが、撮影者がファインダー内の一部を注視したことを検出する視線検出や、撮影者の顔がファインダーに近づいたことを検出するフェイス検知等でも構わない。また第１から第２で変更された撮影情報は１種類としたが、２種類以上でも構わない。更に第２の撮影情報では撮影可能枚数を表示したが、既にメディア７８に記録保存済み枚数の表示やＳＤＲＡＭ７３に記録保存可能な枚数（連続撮影可能枚数）でも構わない。更に第１の撮影情報と第２の撮影情報が逆でも構わない。
【０１０７】
以上説明したように、本発明の第２の実施例によれば、接眼検知により撮影者がファインダーを覗いたことを検知すると、ファインダー内に第１の撮影情報を表示し、その状態のままレリーズボタンを半押し操作すると、ファインダー内に表示している第１の撮影情報の一部が変更されて第２の撮影情報になるため、煩わしい操作を行うことなく多くの撮影情報を撮影者に分かり易く表示可能である。
【０１０８】
また第１の撮影情報から第２の撮影情報で変更される撮影情報を表示する表示部を、１桁が７個のセグメントからなる複数桁の数字表示部としたことにより、様々な数字情報が表示可能となるため表示装置を大きくする必要がなく、その結果、カメラがサイズアップやコストアップすることなく多くの撮影情報を撮影者に分かり易く表示可能である。
【図面の簡単な説明】
【０１０９】
【図１】本発明に係る、デジタル一眼レフカメラの概略断面図である。
【図２】本発明に係る、デジタル一眼レフカメラに内蔵された電気的構成を示すブロック図である。
【図３】本発明の第１の実施例に係る、デジタル一眼レフカメラのファインダー内表示用ＬＣＤの全セグメント点灯状態図である。
【図４】本発明の第１の実施例に係る、デジタル一眼レフカメラのファインダー内表示用ＬＣＤの第１の撮影情報表示状態図である。
【図５】本発明の第１の実施例に係る、デジタル一眼レフカメラのファインダー内表示用ＬＣＤの第２の撮影情報表示状態図である。
【図６】本発明の第２の実施例に係る、デジタル一眼レフカメラのファインダー内表示用ＬＣＤの全セグメント点灯状態図である。
【図７】本発明の第２の実施例に係る、デジタル一眼レフカメラのファインダー内表示用ＬＣＤの第１の撮影情報表示状態図である。
【図８】本発明の第２の実施例に係る、デジタル一眼レフカメラのファインダー内表示用ＬＣＤの第２の撮影情報表示状態図である。
【図９】本発明の第１の実施例に係る、デジタル一眼レフカメラのファインダー内表示用ＬＣＤの表示方法を示すフローチャートである。
【図１０】本発明の第２の実施例に係る、デジタル一眼レフカメラのファインダー内表示用ＬＣＤの表示方法を示すフローチャートである。
【符号の説明】
【０１１０】
１５  接眼検知用赤外ＬＥＤ
１６  接眼検知用受光センサ
１９  ファインダー内表示用ＬＣＤ
６０  レリーズボタン
８３  Ｍマーク
８４  ＩＳＯ感度マーク
８５  表示部
８７  ＣＦマーク
８８  Ｂｕｆｆ．マーク
８９  枚数表示部
【図１】
2007163774.tif 000003
【図２】
2007163774.tif 000004
【図３】
2007163774.tif 000005
【図４】
2007163774.tif 000006
【図５】
2007163774.tif 000007
【図６】
2007163774.tif 000008
【図７】
2007163774.tif 000009
【図８】
2007163774.tif 000010
【図９】
2007163774.tif 000011
【図１０】
2007163774.tif 000012